(57)【要約】【課題】実践におけるゴルフのスイングにはゴルフボールの存在が不可欠であるのに、従来素振りにおける練習には実践同様に球の存在を意識させるものを採り入れてはなく、また練習用マットを用いる場合足元やマットの中に表示されたラインに合せて構えをとってしまい、無意識の内に正しく構える感覚を磨く訓練を怠っていたことを鑑み、より実践に即した手軽な素振りの練習手段を提供する。【解決手段】人工芝３を植設した基材２の上面に、スイングにおける打撃目標となる、視覚的にもよりリアルなように立体構造で打撃感触もある目印部４を設置し、構えの目安となるライン等を設けない練習用マットを提供することにより、上記課題を解決する。それに加え傷んだ人工芝部分を容易に交換・復元可能な構造とする。【選択図】  図１
2005034247.tif 000002
【特許請求の範囲】
【請求項１】
人工芝を植設した基材の上面に、スイングにおける打撃目標となる立体的な構造の目印部を設置したゴルフスイング練習用マット。
【請求項２】
人工芝を植設した基材の上面に、スイングにおける打撃目標となる目印部を設置し、前記目印部にゴルフクラブが正確にヒットした事を自覚しやすいよう、打撃抵抗を大きくする構造としたゴルフスイング練習用マット。
【請求項３】
請求項１に記載のゴルフスイング練習用マットにおいて、立体的な構造の目印部にゴルフクラブが正確にヒットした事を自覚しやすいよう、打撃抵抗を大きくする構造としたゴルフスイング練習用マット。
【請求項４】
請求項１〜３のいずれか１項に記載のゴルフスイング練習用マットにおいて、目印部の色調を段階的に濃淡をつけて彩色する事により、目印部が立体的に盛り上がって見える構造としたゴルフスイング練習用マット。
【請求項５】
請求項１〜４のいずれか１項に記載のゴルフスイング練習用マットにおいて、目印部又は目印部を含む周辺部を交換可能な構造としたゴルフスイング練習用マット。
【請求項６】
請求項１〜５のいずれか１項に記載のゴルフスイング練習用マットにおいて、基材に植設した人工芝及び／又は打撃抵抗を大きくする構造及び／又はスイングにおける打撃目標となる立体的な構造の目印部を形状記憶素材により構成したゴルフスイング練習用マット。
【発明の詳細な説明】
【０００１】
【発明の属する技術分野】
本発明は、ゴルフのスイング練習用マットに関するものである。
【０００２】
【従来の技術】
ゴルフスイングの練習の一つである素振りは、従来はゴルフクラブ等を中空において単に振る、又は実際の芝生の上において、又はクラブを痛めない程度に柔らかな地面の上、或いはゴルフ練習場や自宅の人工芝のゴルフ練習用マットを用いる等の方法において行われていた。
上記のうち、人工芝のゴルフ練習用マットを用いる従来の方法では、素振りを行うことはできるが、一般的には素振りそれ自体が練習の本来の目的になってはおらず、ゴルフ練習用マットのほとんどが実際にゴルフボールを打つスタイルのものであるので、素振りを行おうとする場合にはゴルフボールに代るような目印となるものがない。（例えば、特許文献１参照）また先行事例に記載されるように素振りを目的としたゴルフ練習用マットで、ゴルフマットに縦横に白線を施し実物大のゴルフボールを表示したものはあった。（例えば、特許文献２参照）
【０００３】
【特許文献１】
実開昭６２‐５０６７９号公報（第２図）
【特許文献２】
特開２００３−１４４５９７号公報（第１図）
【０００４】
【発明が解決しようとする課題】
実際のスイングにおいて、よく「素振りと同じように振れば良い」という事を耳にするが、実行することが非常に難しい理由の一つに、普段から実際のスイング同様に素振りを行ってはいないという事が挙げられる。実践におけるゴルフのスイングにはゴルフボールの存在が不可欠であるのに、現状では素振りにおける練習に、実践同様に球の存在を意識させるものを採り入れてはなかった。故に実際にゴルフボールを打つスイングと、打撃目標が何も無い素振りにおけるスイングとでは、明らかにギャップが存在した。例えば、いざ本番となったときゴルフボールを目の前に置いた状況で構える事による「力み」に起因するのか、身体の各部位の動きなどの運動面から見ても、またボールの存在に「プレッシャー」を感じてしまうのか、精神面から見てもゴルフボールの存在の有無によるそれぞれのスイングにおけるギャップの存在は明らかであり、ほとんどのゴルファーが認識している事実である。故に素振りというのは、単なる準備運動などではなく、実際にボールを打つショットをイメージして、実際のスイングと同じ状況・条件にて繰り返し行われる必要があり、素振りにおいてただ漫然とクラブを振るのではなく、常に打撃目標となる一点を注視するという実践的なスタイルで行うことがトレーニング効果をより高め、それがラウンドでの良い結果を導くのである。打撃目標となる一点を注視しそれに集中することにより、頭部が安定し、初めてクラブの振り上げからインパクトまでの回転の軸を保つことができるのである。
【０００５】
また特許文献２に記載のように、実際のスイングと同じ状況・条件にて行う上では、スイングの構えをとる目安となってしまうようなラインはスタンスを取る足元にも、或いはゴルフマットの中、その他どこにも無い方が良い。その理由は、実際のゴルフ場でのスイングは、ゴルフボールとピンを結んだラインを頭の中で思い描いて、それを基準にスタンスを決め、構えてスイングする。実践においては構える目安となるラインは視覚上どこにも存在しないし、構える基準となるゴルフボールとピンを結んだラインはゴルファーの頭の中、イメージの中にだけ存在するのである。故に日頃の練習において、常にゴルフボールとピンを結んだラインを正しくイメージ出来るように感覚を磨く訓練が不可欠であり、その感覚の訓練こそがゴルフの練習における一番重要な要素の一つなのである。しかし足元・ゴルフマット等ゴルファーの視覚に入る位置に、構える目安となるようなラインを設けるということで、それに合わせてスタンスを取るだけで正しく構えたかのような錯覚を生んでしまって、知らず知らずの内にゴルフボールとピンを結ぶラインを正しくイメージ出来るように感覚を磨く訓練を怠り、その結果ラインを正しくイメージする感覚を鈍らせてしまっているのである。容易に正しく構えられるように目安となるラインを設けることが、逆に実践に悪い影響を与えてしまっているのである。
【０００６】
よって、実践と同じ状況・条件下での素振りによって何度もイメージトレーニングを繰り返し、ゴルフボールを正確にショットするイメージとその身体の動きを、徹底的に頭の中及び身体に刷り込めば、実践におけるショットの精度は確実に上がるのであるが、現状では素振りにおいて必要とされる上記二つの要素（「打撃目標を設ける」「ゴルフボールとピンを結んだラインを正しくイメージする感覚を鍛える」）を鑑み、それらを兼ね備えたゴルフスイングの素振りに関する練習設備や器具は提供されていない。
【０００７】
【課題を解決するための手段】
本発明は上記の課題を解決するためになされたもので、人工芝を植設した基材の上面に、スイングにおける打撃目標となる立体的な目印部、あるいはゴルフクラブが正確にヒットした事を自覚しやすいよう、より打撃抵抗を大きくする構造を取り入れた目印部を設置することにより、素振り練習に実践と同様にゴルフボールの存在をイメージ及び意識させる対象物を採り入れた。なお、目印部は立体的で、且つより打撃抵抗を大きくする構造としてもよい。更に、目印部やその周辺部は人工芝等が傷みやすいので、交換可能な構造としたり、形状記憶素材により構成してもよい。
【０００８】
【発明の実施の形態】
本発明の実施の形態は、実施例として図１に斜視図として示されるように、ゴルフのスイング練習用マットである。図２〜８までは本発明の実施例となる図１のＡ‐Ａ線部分の詳細な断面図である。
このスイング練習用マット１は基材２の上面に人工芝３を植設したものであり、植設された人工芝３内に、スイングにおける打撃目標となる立体的な構造或いは打撃抵抗を大きくする構造を取り入れた目印部４を設置したものである。なお、本発明において練習用マット１、基材２、人工芝３の形状及び大きさ、材質、色調、毛足の長さ、植毛の密度等は特に限定することはなく、従来より知られているものを適用することができる。
【０００９】
練習用マット１に関して例示すれば、形状は円形、楕円形、不定形、多角形等様々な形状を採用することが出来るが、構える目安となるラインを設けないように、特別な要請が無い限りは縁が直線で構成される正方形・長方形ではない方が好ましい。またその大きさについては、円形を採用した場合の例としては直径２０ｃｍ程度の小型のものから、クラブの打撃によりマット自体がズレるのを防止できるよう、練習者がマットの上に乗ってスイングできる程度の大きさである直径１００ｃｍを超える大型のものでも構わない。次に基材２に関しては適当な重量・摩擦力・弾性・強度等があれば、通常人工芝のクッション材として使用される柔軟性のある材料、例えば軟質塩化ビニル樹脂、ウレタン樹脂、合成ゴム、及び天然ゴム等で構成されるのが良い。ここでベースの厚みは５ｍｍ〜３０ｍｍ程度が好ましい。また、よりクッション性を望むなら上記構成材料を発泡加工したものを用いてもよい。
続いて人工芝３に関しては、材質は例えばナイロン、ポリエチレン、ポリプロピレン、塩化ビニル、塩化ビニリデン、或いはポリエステル、アクリル系等の合成樹脂製で、繊度は７５ｄ〜５０００ｄ、毛足の長さは５ｍｍ〜５０ｍｍ程度が好ましい。また、ラフでの練習用とするなら目印部４以外の人工芝の毛足を更に長くしても良い。目印部４に関しては練習者がより実践に近い状況をイメージしやすくなるよう、まるで本物のゴルフボールが芝の上に置いてあり、あたかも実際にボールを用いて練習しているかのようにイメージできるように、ゴルフボールを模して白色で相当の大きさの円形で球状に人工芝を盛り上げるか、或いは打撃抵抗を大きくする構造を取り入れる場合は単に円形の表示としても良い。
【００１０】
図２は図１に示す練習用マットのＡ‐Ａ線部分の詳細な断面図であり、スイングにおける打撃目標となる立体的な構造及び／又は打撃抵抗を大きくする構造を取り入れた目印部４のうち、単に立体的な構造のみにより構成された例を示している。立体的な構造及び／又は打撃抵抗を大きくする構造を取り入れた目印部４の人工芝は、その周囲とは異なる形状や色調や材質、或いは毛足の長さに変化をつける、或いは目印部４のみ人工芝を植設せずに基材２を立体的になるよう盛り上げて白色に彩色する等の方法により視覚的に明瞭に目印部４とその周辺部の境界を認識できるようにする。
【００１１】
図３〜５はスイングにおける打撃目標となる目印部４に、ゴルフクラブが正確にヒットした事を練習者が自覚しやすいよう、目印部４の打撃抵抗をその周辺部に比較してより大きくする構造を採り入れたゴルフスイング練習用マットである。以下順を追って説明を加える。
図３は打撃目標となる目印部４の真下に位置する部分の基材２を盛り上げ衝突部５を設けることにより、振り下ろされたクラブのヘッドが当該部分に接触することにより打撃抵抗を大きくする構造としたものである。なお、衝突部５の盛り上げ高さは基材２の材質によって最大でゴルフボールの直径程度の高さ迄盛り上げ、概ね３ｍｍ〜５０ｍｍ程度の間で適宜打撃抵抗を調整しながら変化をつけるのが好ましい。また基材２と衝突部５は製造の手間とそれに掛かるコストを考慮して同じ材質のもので構成してもよいが、例えば基材２よりも衝突部５の方が打撃抵抗が少なくなる材質のものを用いる等、別の材質のものを組み合わせることで、衝突部５の盛り上げ高さの選択の幅をより広くすることができる。
【００１２】
図４は打撃目標となる目印部４に相当する人工芝の植毛密度を、それ以外の部分より相対的に高くすることで打撃抵抗を大きくする構造としたものである。この場合目印部４の植毛密度は、その周辺部に比較して２倍〜１０倍の範囲で適宜打撃抵抗を調整しながら植設するのが好ましい。
【００１３】
図５は打撃目標となる目印部４に相当する人工芝をより硬質のものとしたり、或いは目印部４に相当する人工芝の中に、より高剛性の突起物６を採り入れることにより打撃抵抗を大きくする構造としたものである。より高剛性の突起物６とは、人工芝より打撃抵抗が大きくなるような素材、例えば合成ゴムや天然ゴムからなり、形状を直径１〜５ｍｍ程度の円柱状のものとする場合、求める打撃抵抗に応じて、ゴムの硬度・円柱の直径に変化をつけ、高さは人工芝の毛足と同じ程度としても良い。或いは長くしても、短くしても良い。それを目印部４の中に設置することにより、人工芝のみにより構成するよりも打撃抵抗を大きくしようとするものである。また突起物６の材質においては、基材２の素材をそのまま利用すれば、当練習用マットを提供するにあたって、手間とコストを節約することができる。ここにおいて、打撃抵抗を大きくする構造を持っていさえすれば、突起物６の大きさ・材質・形状等は特に限定するものではない。また、この場合目印部４は人工芝と突起物６を混在させて設置しても良いし、或いは全て突起物６で構成しても良い。
【００１４】
また目印部４を実際にはそう高くは盛り上げずに或いは平面のままで、その白の色調に濃淡をつけ、つまり円形の目印部４の彩色において、外周部から中心に向かうに従い色調がより淡色になるように段階的に濃淡をつけて構成することにより、目印部４が視覚的な錯覚により実際よりも立体的に盛り上がって見える現象を利用しても良い。
この場合、目印部４は実際には見かけよりも盛り上がっていない為それらが傷んだり、変形したりするのを軽減する効果があるのに加え、打撃抵抗が大きくなりすぎるのを避ける効果もある。また、目印部４のみ人工芝を植設せずに基材２を立体的になるよう盛り上げて白色に彩色する場合においても、目印部４が人工芝だけ、或いは人工芝の中に打撃抵抗を大きくする構造を採り入れた形で構成されている場合に比較して、空隙が少ない分かなりの打撃抵抗が発生してしまうのを避ける目的で、同様の手法を採用することもできる。
【００１５】
図６及び図７は、目印部４または目印部４を含む周辺部がスイングにおける打撃目標となる為、人工芝が他の部分に比較して特に傷みやすいので、その部分を交換可能な構造としたゴルフスイング練習用マットである。具体的に説明すると、練習用マット１のうち傷みやすい目印部４または目印部４を含む周辺部分の基材２を凸部ａ７とし、練習用マット１のうち、前記の凸部ａ７を組み込む部分を凹部８として構成する。その部分がキッチリと隙間なく緊切して組み込まれる構造にすることにより練習中に組み込み部がずれたりする事は無く、またストッパー９を設けることで当該練習用マット１の裏側方向よりのみ、容易に脱着可能な構造とすることで、通常のスイング練習時において意図に反して交換可能な凸部ａ７が打撃によりはずれてしまうのを防止する。以上の方法により人工芝３のうち痛みやすい部分の交換が可能となる。
【００１６】
図８は交換可能な構造とした凸部ａ７の上面に人工芝を植設せず、上面をそのままゴルフボールに模した形状に盛り上げることにより目印部４を設けて、交換可能な部分を凸部ｂ１０としたものである。この場合かなりの打撃抵抗が生ずるため、凸部ｂ１０の材質はより抵抗が少なくなるような素材、例えば発泡ポリエチレン等にするのが好ましい。
【００１７】
なお、目印部４または目印部４を含む周辺部が他の部分に比較して特に傷みやすい事に対する前記以外の対処法として、基材２に植設した人工芝３及び／又は打撃抵抗を大きくする構造及び／又はスイングにおける打撃目標となる立体的な構造の目印部４に、形状回復温度を適当に設計した形状記憶素材として形状記憶樹脂及び／又は形状記憶金属を用いることにより、打撃による変形を繰り返しても、家庭でも簡単に、例えば沸騰湯をかけること等により基本形状に復元させることができる。ここでいう形状記憶素材としては、ポリノルボルネン、トランスポリイソプレン等の合成樹脂、或いはニッケル・チタン合金、銅・アルミニウム・亜鉛合金等の金属を単独で、もしくは複合して用いることができる。また、形状記憶素材として上記以外にも形態安定シャツ等に代表される形状記憶繊維を使用することも可能である。
【００１８】
【発明の効果】
以上のとおり、本発明のゴルフスイング練習用マットにより、素振りにおける練習の中に実践と同様にゴルフボールの存在を意識させる対象物を採り入れることにより、実際にゴルフボールを打つスイングと、素振りにおけるスイングとのギャップを埋めることができ、本物のゴルフボールを打つことなく、より実践に即したスイングの練習が可能となる。また、ボールを飛ばす目標地点であるピンを頭の中で思い描いて素振りを繰り返すことにより、あわせてラインを正しくイメージする感覚を磨くことができるのである。また「打ちっぱなし」とよばれるゴルフ練習場での練習と違い、毎日仕事等で多忙の方でも、練習場の営業時間に縛られることがなく、また実際にはゴルフボール或いは練習用ボールの類いを打たなくても良いので、広い場所も必要ないし、打球音による周囲への迷惑な騒音もない。クラブが振れる広さがあれば屋内屋外を問わずどこでも練習ができるので、時間や場所を選ばずに深夜でも早朝でも自宅で気軽に、より効果的なゴルフの練習が可能となる。また毎回のゴルフ練習場での練習を考えると、練習に係る費用も馬鹿にならず、当該ゴルフスイング練習マットを用いることによりコスト縮減効果も期待できる。
【図面の簡単な説明】
【図１】本発明にかかるゴルフスイング練習用マットの斜視図である。
【図２】図１の目印部の人工芝を球状に盛り上げた例になるＡ‐Ａ線部分の断面図である。
【図３】図１の目印部の真下に位置する部分の基材を盛り上げた例になるＡ‐Ａ線部分の断面図である。
【図４】図１の目印部に相当する人工芝の植毛密度を、それ以外の部分より相対的に高くした例になるＡ‐Ａ線部分の断面図である。
【図５】図１の目印部に相当する人工芝をより硬質のものとし、或いはより高剛性の突起物等を設置した例になるＡ‐Ａ線部分の断面図である。
【図６】図１の目印部及びその周辺部を交換可能な構造とした例になるＡ‐Ａ線部分の断面図である。
【図７】図１の目印部及びその周辺部を交換可能な構造とした例になるＡ‐Ａ線部分の断面図である。
【図８】図１の目印部及びその周辺部を交換可能な構造とし、凸部の上面を立体的に盛り上げ目印部とした例になるＡ‐Ａ線部分の断面図である。
【符号の説明】
１  練習用マット本体
２  基材
３  人工芝
４  打撃目標となる目印部
５  衝突部
６  打撃抵抗を大きくする突起物
７  交換可能とした場合の凸部ａ
８  交換可能とした場合の凹部
９  ストッパー
１０  交換可能とした場合の凸部ｂ
【図１】
2005034247.tif 000003
【図２】
2005034247.tif 000004
【図３】
2005034247.tif 000005
【図４】
2005034247.tif 000006
【図５】
2005034247.tif 000007
【図６】
2005034247.tif 000008
【図７】
2005034247.tif 000009
【図８】
2005034247.tif 000010